(57)【要約】【課題】カメラの姿勢が縦横か上下かで使用状況を判断しオートパワーオフの働く時間を変更し、省電力化を図る。【解決手段】カメラの姿勢差に対する補正レンズに流れる駆動電流を検出してカメラの姿勢を縦、横、平面（上または下向き）判別する。通常カメラは縦向き、横向きで使用することが多く、平面で使用することは少ない。そこでカメラの姿勢を平面と検出したときには、カメラを使用していない状態と判断しオートパワーオフの働く時間を通常の時間よりも短くする。【選択図】図１
2006162835.tif 000002
【特許請求の範囲】
【請求項１】
自装置が平面置き姿勢、横置き姿勢または縦置き姿勢のいずれであるかを検出する姿勢検出手段と、
ユーザーによる操作を受け付ける外部操作手段と、
前記姿勢検出手段が自装置の姿勢として平面置き姿勢であると検出した場合には、前記外部操作手段がユーザーによる操作を所定時間受け付けないとき、電源を切る一方、
前記姿勢検出手段が自装置の姿勢として縦置き姿勢または横置き姿勢であると検出した場合には、前記外部操作手段がユーザーによる操作を前記所定時間よりも長い時間受け付けないとき、電源を切るよう制御するオートパワーオフ制御手段と、
を備えるデジタルカメラ。
【請求項２】
光軸と直交する２方向に像ぶれ補正レンズと、
前記補正レンズを一方の方向について駆動する第１のアクチュエータと、
前記補正レンズを他方の方向について駆動する第２のアクチュエータと、
とを備え、
前記姿勢検出手段は、前記第１および第２のアクチュエータの駆動電流値を検出して、自装置の姿勢を判別する、
請求項１に記載のデジタルカメラ。
【発明の詳細な説明】
【技術分野】
【０００１】
本発明は、デジタルカメラの姿勢検出によるオートパワーオフ制御に関するものである。
【背景技術】
【０００２】
デジタルカメラにおいて、一定時間操作をしないときは省電力のため自動で電源を切るオートパワーオフ機能がある（例えば、特許文献１）。
【特許文献１】特開２００１−９４８６３号公報
【発明の開示】
【発明が解決しようとする課題】
【０００３】
しかしながら、カメラの電源を入れた状態で未使用時の状態が一定時間続くとオートパワーオフ機能が働くが、一定時間操作がない状態だけでは本当に使用状態か未使用状態か分からず、未使用状態なら電源を早く切った方が省電力にもなる。
【０００４】
本発明は、カメラを使用していないような状態で電源が入ったまま放置していても、電池の消費をより抑えることができるカメラを提供することを目的とする。
【課題を解決するための手段】
【０００５】
この課題を解決するために本発明のデジタルカメラは、自装置が平面置き姿勢、横置き姿勢または縦置き姿勢のいずれであるかを検出する姿勢検出手段と、ユーザーによる操作を受け付ける外部操作手段と、前記姿勢検出手段が自装置の姿勢として平面置き姿勢であると検出した場合には、前記外部操作手段がユーザーによる操作を所定時間受け付けないとき、電源を切る一方、前記姿勢検出手段が自装置の姿勢として縦置き姿勢または横置き姿勢であると検出した場合には、前記外部操作手段がユーザーによる操作を前記所定時間よりも長い時間受け付けないとき、電源を切るよう制御するオートパワーオフ制御手段と、を備える。
【０００６】
また、光軸と直交する２方向に像ぶれ補正レンズと、前記補正レンズを一方の方向について駆動する第１のアクチュエータと、前記補正レンズを他方の方向について駆動する第２のアクチュエータと、とを備えてもよい。この場合、前記姿勢検出手段は、前記第１および第２のアクチュエータの駆動電流値を検出して、自装置の姿勢を判別する。
【発明の効果】
【０００７】
本発明のデジタルカメラは、カメラの姿勢が平面置き姿勢であることも判別し、平面置きのときのオートオフ機能の作動時間を短くしたため、電池の消費をより抑えることができる。通常、カメラは縦置き姿勢、横置き姿勢で使用することが多く、平面（レンズが上向きまたは下向き）置きで使用することは少ないためである。
【発明を実施するための最良の形態】
【０００８】
（実施の形態１）
図１は、本発明の実施の形態におけるブロック図である。図２は、本発明を実施した場合のフローチャートである。
【０００９】
まず、図１のブロック図について説明する。撮像光学系１は、３つのレンズ群Ｌ１、Ｌ２、Ｌ３からなる撮像光学系である。固体撮像素子（ＣＣＤ）２は、撮像光学系１を介して入射する映像を電気信号に変換する。画像処理手段４は、固体撮像素子２で生成された電気信号について、表示のための処理や圧縮処理等の画像処理を行う。画像表示手段３は、画像処理手段４により画像処理された撮影画像を表示する。メモリーカードなどの画像記録手段５は、画像処理手段４で画像処理された撮像画像を記録する。
【００１０】
撮像光学系１は、３つのレンズ群Ｌ１、Ｌ２、Ｌ３からなる撮像光学系である。レンズ群Ｌ２は補正レンズ群である。補正レンズ群Ｌ２は、撮像光学系１の光軸に直交する２方向Ｘ，Ｙ方向に、レンズ駆動手段１１により駆動される。補正レンズ群Ｌ２が駆動されると、固体撮像素子２に入射する光軸が偏心する。マイクロコンピュータ６のレンズ制御手段７は、デジタルカメラのブレを打ち消すように、レンズ駆動手段１１を制御する。このような構成により、画像の動きを補正している。
【００１１】
Ｘ方向をヨーイング方向、Ｙ方向をピッチング方向とし、それぞれの方向に流れる電流をヨーイング電流、ピッチング電流とする。補正レンズ群Ｌ２はカメラの姿勢に関わらず、常に光軸中心に保持するように制御されいる。この制御において流れる電流をヨーイング電流値検出手段１２とピッチング電流値検出手段１３によって検出する。姿勢判別手段９は、検出された電流値に基づいて、カメラの姿勢が横、縦置き姿勢または平面のいずれであるかを判別する。
【００１２】
主電源ＳＷ１４はカメラの主電源をオン、オフさせるSWである。主電源ＳＷ１４オンのときは電源制御手段８が電源供給手段１５に対して電源供給するように制御する。カメラに電源が入ると、ユーザーは、シャッターボタン、ズームレバー、撮影・再生などを切換えるモードダイヤル、メニューボタンなどの外部操作手段１６を使ってカメラを操作することができる。また、オートパワーオフ機能が働く時間を計測するタイマー手段１０が動作し始める。また、主電源ＳＷ１４をオフにすることにより、電源制御手段８は、電源供給手段１５に対して電源を供給しないように制御し、カメラの電源を切る。
【００１３】
次に、図２のフローチャートについて説明する。主電源SW１４がオンされると、オートパワーオフ機能を働かせるタイマーをスタートさせるステップＳ１に移る。ステップＳ２で外部操作手段１６が操作されると、ステップＳ７に移行し、タイマーをリセットしてステップＳ１に戻る。また、ステップＳ２で外部操作が無いと判断すると、カメラの姿勢に変化が有るか無いかを姿勢判別手段９によって判別する（Ｓ３）。
【００１４】
ステップＳ３では、ヨーイング電流値検出手段１２とピッチング電流値検出手段１３は、カメラの姿勢によって補正レンズ群Ｌ２に流れる電流の変化を検出する。マイクロコンピュータ６の姿勢判別手段９は、その電流値をカメラの姿勢を縦置き姿勢、横置き姿勢または平面置き姿勢のいずれであるかを判別する。縦置き姿勢から横置き姿勢または平面置き姿勢や横置き姿勢から縦置き姿勢、平面置き姿勢から縦置き姿勢または横置き姿勢などに変化させた場合は、カメラの姿勢に変化が有ると判断する。この場合、カメラは、カメラを使用していると判別する。そして、オートパワーオフ機能を不動作として、ステップＳ７でタイマーをリセットしステップＳ１に戻る。
【００１５】
ステップＳ３でカメラの姿勢に変化が無いと判別したときは、カメラの姿勢状態が縦または横向きか平面かを判別するステップＳ４に移り、縦または横向きの場合はステップＳ５に移る。
【００１６】
ステップＳ５ではオートパワーオフが働くまでの時間を計時するタイマーが所定時間Ｔ１に達したかどうかを判断し、Ｔ１まで時間が経過していないときはステップＳ２に移り、上述した動作が再び実行される。またタイマーがＴ１まで達したときはオートパワーオフ機能を働かせ、電源制御手段８が電源供給手段１５に対して電源を供給しないように制御し、カメラの電源を切りオートパワーオフ制御処理を終了する。
【００１７】
ステップＳ４でカメラの姿勢状態が平面と判断した場合は、ステップＳ６に移り、オートパワーオフが働くまでの時間を計時するタイマーがＴ１よりも短い所定時間Ｔ２に達したかどうかを判断し、Ｔ２まで時間が経過していないときはステップＳ２に移り、上述した動作が再び実行される。またタイマーがＴ２まで達したときはオートパワーオフ機能を働かせ、電源制御手段８が電源供給手段１５に対して電源を供給しないように制御し、カメラの電源を切りオートパワーオフ制御処理を終了する。
【産業上の利用可能性】
【００１８】
本発明は、姿勢検出を行って、オートパワーオフ機能の作動・不作動の入切りを行う撮像装置であれば適用でき、たとえば、デジタルカメラやカメラ付き携帯電話端末などに適用できる。
【図面の簡単な説明】
【００１９】
【図１】本発明の実施の形態１に於けるデジタルカメラの実施方法を示したブロック図
【図２】姿勢判別によるオートパワーオフ制御処理のフローチャート
【符号の説明】
【００２０】
１    撮像光学系１
６    マイクロコンピュータ
８    電源制御手段
９    姿勢判別手段
１０    タイマー手段
１２    ヨーイング電流値検出手段
１３    ピッチング電流値検出手段
１５    電源供給手段
１６    外部操作手段
【図１】
2006162835.tif 000003
【図２】
2006162835.tif 000004